(57)【要約】【課題】透明性を備えた被着体に対し貼り付けた状態の印字済み粘着テープの、被着体の貼り付け側と反対側から見た見栄えを向上する。【解決手段】第３ロールＲ３に巻回された印字済み粘着テープ１５０″は、厚さ方向の一方側の表面にインク色の印字ＩＫが形成され、透過性を備えた第１積層部と、第１積層部の厚さ方向の他方側に隣接して形成され、第１積層部を被着体Ｈに対し貼り付け可能な第２積層部とを有し、第１積層部は、インク色を隠蔽しない色を備えた有色層１５４を含み、第２積層部は、インク色を隠蔽可能な色を備えた有色層１５４を含む。【選択図】図３
2015067642.tif 000002
【特許請求の範囲】
【請求項１】
厚さ方向寸法を備え、所望のインク色のインクリボンからの転写により前記インク色の印字が形成された印字済み粘着テープを、所定の軸心まわりに巻回して構成した印字済み粘着テープロールであって、
前記印字済み粘着テープは、
前記厚さ方向の一方側の表面に前記印字が形成され、透過性を備えた第１積層部と、
前記第１積層部の前記厚さ方向の他方側に隣接して形成され、前記第１積層部を被着体に対し貼り付け可能な第２積層部と、
を有し、
前記第１積層部は、
前記インク色を隠蔽しない第１色を備えた第１有色層を少なくとも含み、
前記第２積層部は、
前記インク色を隠蔽又は遮蔽可能な第２色を備えた第２有色層を少なくとも含む
ことを特徴とする印字済み粘着テープロール。
【請求項２】
請求項１記載の印字済み粘着テープロールにおいて、
前記第２有色層は、
前記第１積層部を透過する前記インク色を隠蔽又は遮蔽可能な前記第２色を備える
ことを特徴とする印字済み粘着テープロール。
【請求項３】
請求項１記載の印字済み粘着テープロールにおいて、
前記印字済み粘着テープは、
前記第２積層部の前記厚さ方向の他方側の表面に、ロール径方向内側に配置された前記第１積層部の前記厚さ方向の一方側の表面に形成された前記印字が付着した状態で、前記軸心まわりに巻回されており、
前記印字済み粘着テープが前記ロール径方向内側の部分から引き剥がされ、前記第２積層部の前記厚さ方向の他方側の表面に、前記ロール径方向内側の前記第１積層部の前記厚さ方向の一方側の表面の前記印字の少なくとも一部が転写される場合に、当該第２積層部の前記第２有色層は、
前記転写される前記印字に備えられた前記インク色を隠蔽又は遮蔽可能な前記第２色を備える
ことを特徴とする印字済み粘着テープロール。
【請求項４】
請求項１乃至請求項３のいずれか１項記載の印字済み粘着テープロールにおいて、
前記第２有色層は、
前記第２色として、前記インク色と同一色、前記インク色の類似色、前記インク色と同系で当該インク色よりも濃い色、及び黒色のいずれかを備える
ことを特徴とする印字済み粘着テープロール。
【請求項５】
請求項１乃至請求項４のいずれか１項記載の印字済み粘着テープロールにおいて、
前記第１積層部は、
テープ基材層と、
前記テープ基材層の前記厚さ方向の一方側に設けられ、所定の剥離剤により構成された剥離層と、
前記テープ基材層の前記厚さ方向の他方側に設けられた前記第１有色層と、
を含み、
前記第２積層部は、
前記第１有色層の前記厚さ方向の他方側に設けられた前記第２有色層と、
前記第２有色層の前記厚さ方向の他方側に設けられ、所定の粘着剤により構成された第１粘着層と、
を含む
ことを特徴とする印字済み粘着テープロール。
【請求項６】
請求項１乃至請求項４のいずれか１項記載の印字済み粘着テープロールにおいて、
前記第１積層部は、
テープ基材層と、
前記テープ基材層の前記厚さ方向の一方側に設けられ、所定の剥離剤により構成された剥離層と、
前記テープ基材層の前記厚さ方向の他方側に設けられた前記第１有色層と、
を含み、
前記第２積層部は、
前記第１有色層の前記厚さ方向の他方側に設けられ、所定の粘着剤及び前記第２色を備えた顔料を含む前記第２有色層である第２粘着層を含む
ことを特徴とする印字済み粘着テープロール。
【請求項７】
厚さ方向寸法を備え、所望のインク色のインクリボンからの転写により前記インク色の印字が形成可能に構成された粘着テープであって、
前記厚さ方向の一方側の表面に前記印字が形成可能に構成され、透過性を備えた第３積層部と、
前記第３積層部の前記厚さ方向の他方側に隣接して形成され、前記第３積層部を被着体に対し貼り付け可能な第４積層部と、
を有し、
前記第３積層部は、
前記インク色を隠蔽しない第３色を備えた第３有色層を少なくとも含み、
前記第４積層部は、
第３積層部を透過する前記インク色を隠蔽又は遮蔽可能な第４色を備えた第４有色層を少なくとも含む
ことを特徴とする粘着テープ。
【発明の詳細な説明】
【技術分野】
【０００１】
本発明は、印字済み粘着テープを所定の軸心まわりに巻回して構成した印字済み粘着テープロール、及び、印字済み粘着テープを生成するための粘着テープに関する。
【背景技術】
【０００２】
特許文献１には、透明なＯＰＰフィルムの片面に表示色インクが印刷され、表示色インク面に金属含有白色インク層が積層され、金属含有白色インク層面に粘着剤が積層されてなる印字済み粘着テープ（隠蔽性粘着テープ）が開示されている。
【先行技術文献】
【特許文献】
【０００３】
【特許文献１】特開平７−１１２０２号公報
【発明の概要】
【発明が解決しようとする課題】
【０００４】
上記従来技術では、被着体に対し貼り付けた状態の印字済み粘着テープを貼り付け側と反対側から見た際に、ＯＰＰフィルムを透かして印字（表示色インク）が視認されるように、配慮されている。しかしながら、上記従来技術では、透明性を備えた被着体に対し貼り付けた状態の印字済み粘着テープの、被着体の貼り付け側と反対側から見た（被着体越しに見た）見栄えを向上することまでは、特に配慮されていなかった。
【０００５】
本発明の目的は、透明性を備えた被着体に対し貼り付けた状態の印字済み粘着テープの、被着体の貼り付け側と反対側から見た見栄えを向上できる、印字済み粘着テープロール及び粘着テープを提供することにある。
【課題を解決するための手段】
【０００６】
上記目的を達成するために、本願発明は、厚さ方向寸法を備え、所望のインク色のインクリボンからの転写により前記インク色の印字が形成された印字済み粘着テープを、所定の軸心まわりに巻回して構成した印字済み粘着テープロールであって、前記印字済み粘着テープは、前記厚さ方向の一方側の表面に前記印字が形成され、透過性を備えた第１積層部と、前記第１積層部の前記厚さ方向の他方側に隣接して形成され、前記第１積層部を被着体に対し貼り付け可能な第２積層部と、を有し、前記第１積層部は、前記インク色を隠蔽しない第１色を備えた第１有色層を少なくとも含み、前記第２積層部は、前記インク色を隠蔽又は遮蔽可能な第２色を備えた第２有色層を少なくとも含むことを特徴とする。
【０００７】
本願発明の印字済み粘着テープロールは、印字済み粘着テープが所定の軸心まわりに巻回されることにより構成されている。印字済み粘着テープは、第１積層部と、第２積層部とを有する。第１積層部は、透過性を備え、その厚さ方向の一方側の表面には、インクリボンから転写されたインクによる印字が形成されている。この第１積層部は、上記一方側の表面に形成された印字の色（インク色）を隠蔽しない第１色を備えた第１有色層を少なくとも含んでいる。これにより、印字の色（インク色）を、印字の下地となる第１積層部の色によって隠蔽しないようにすることが可能となるので、印字済み粘着テープの上記一方側からの印字の視認性を確保することができる。第２積層部は、第１積層部の厚さ方向の他方側に隣接して形成され、第１積層部を被着体に対し貼り付け可能としている。
【０００８】
ここで、上述のように巻回された状態の印字済み粘着テープを、そのロール径方向内側の部分から引き剥がして適宜の寸法に切断し、透過性を備えた被着体（例えば窓ガラス等）に対し貼り付けて使用する場合があり得る。このような場合に、仮に、第２積層部が透過性を備え、また第２積層部が印字の色（インク色）を隠蔽又は遮蔽可能な構成を備えていないとすると、被着体に対し貼り付けられた印字済み粘着テープを、被着体の貼り付け側と反対側から見る（被着体越しに見る）と、印字済み粘着テープの上記一方側の表面に形成された印字が被着体、第２積層部、及び第１積層部を透けて見え、また印字の色（インク色）が隠蔽又は遮蔽されないので、見栄えが良くない。
【０００９】
またここで、上述のように巻回された状態の印字済み粘着テープは、第２積層部の上記他方側の表面に、ロール径方向内側に配置された第１積層部の上記一方側の表面に形成された印字が付着した状態で巻回されている。したがって、上述のように印字済み粘着テープを引き剥がした際には、第２積層部の上記他方側の表面に、ロール径方向内側の第１積層部の上記一方側の表面の印字の少なくとも一部が転写（いわゆる裏移り）される場合がある。このように第２積層部の上記他方側の表面に印字が転写された印字済み粘着テープを、適宜の寸法に切断し、透過性を備えた被着体（例えば窓ガラス等）に対し貼り付けて使用する場合があり得る。このような場合に、仮に第２積層部が印字の色（インク色）を隠蔽又は遮蔽可能な構成を備えていないとすると、被着体に対し貼り付けられた印字済み粘着テープを、被着体の貼り付け側と反対側から見る（被着体越しに見る）と、第２積層部の上記他方側の表面に転写された印字の色（インク色）が隠蔽又は遮蔽されないので、見栄えが良くない。
【００１０】
そこで本願発明では、第２積層部が、印字の色（インク色）を隠蔽又は遮蔽可能な第２色を備えた第２有色層を少なくとも含んでいる。これにより、上述のように、印字済み粘着テープを、透過性を備えた被着体に対し貼り付けて使用する場合に、印字済み粘着テープの上記一方側の表面に形成され第１積層部を透過する印字の色（インク色）を第２有色層により隠蔽又は遮蔽することが可能となる。また、上述のように、第２積層部の上記他方側の表面に印字が転写された印字済み粘着テープを、透過性を備えた被着体に対し貼り付けて使用する場合に、第２積層部の上記他方側の表面に転写された印字の色（インク色）を第２有色層により隠蔽又は遮蔽することが可能となる。
【００１１】
以上のようにして、本願発明では、透明性を備えた被着体に対し貼り付けた状態の印字済み粘着テープの、被着体の貼り付け側と反対側から見た見栄えを向上することができる。
【発明の効果】
【００１２】
本発明によれば、透明性を備えた被着体に対し貼り付けた状態の印字済み粘着テープの、被着体の貼り付け側と反対側から見た見栄えを向上することができる。
【図面の簡単な説明】
【００１３】
【図１】本発明の一実施の形態に係る粘着テープ印刷装置の外観を表す側面図である。
【図２】粘着テープ印刷装置の内部構造を表す縦断面図である。
【図３】粘着テープ印刷装置におけるテープ搬送経路を表す説明図である。
【図４】被着体に対し貼り付けられた状態の切断後印字済み粘着テープを貼り付け側と反対側から見た状況を表す説明図である。
【図５】粘着剤層の下面に裏移り印字が形成された切断後印字済み粘着テープを、透明性を備えた被着体に対し貼り付けて使用する場合を表す説明図である。
【図６】透明性を備えた被着体に対し貼り付けられた状態の切断後印字済み粘着テープを、被着体の貼り付け側と反対側から見た状況を表す説明図である。
【図７】粘着剤層がインク色を隠蔽可能な色を備える変形例における、粘着テープ印刷装置におけるテープ搬送経路を表す説明図である。
【発明を実施するための形態】
【００１４】
以下、本発明の一実施の形態について図面を参照しつつ説明する。なお、図面中に「上方」「下方」「前方」「後方」の注記がある場合は、明細書中の説明における「上方」「下方」「前方」「後方」とは、その注記された方向を指す。
【００１５】
＜粘着テープ印刷装置の概略構成＞
まず、図１〜図３を参照しつつ、本実施形態に係る粘着テープ印刷装置の概略構成について説明する。
【００１６】
図１〜図３に示すように、粘着テープ印刷装置１は、装置外郭を構成する筐体２と、筐体２の上部後方側に設けられた第１開閉カバー３と、筐体２の上部前方側に設けられた第２開閉カバー４と、筐体２の後方側に設けられた第１収納部５と、筐体２の前方側に設けられた第２収納部７及び第３収納部６とを有する。
【００１７】
このとき、筐体２における（閉じ状態での）第１開閉カバー３の下方にある第１所定位置８には、テープカートリッジＴＫが着脱可能に装着される。テープカートリッジＴＫは、第１ロールＲ１及び第２ロールＲ２を備え、第１ロールＲ１が後方側、第２ロールＲ２が前方側となる状態で装着される。
【００１８】
第１収納部５には、テープカートリッジＴＫの装着によって、第１ロールＲ１が上方から受け入れられ、軸心Ｏ１が略水平方向となる状態で収納される。第１ロールＲ１は、粘着テープ１５０を軸心Ｏ１まわりに巻回して構成される。なお、図２中では、第１ロールＲ１の粘着テープ１５０が未消費である状態を実線で表し、第１ロールＲ１の粘着テープ１５０がある程度消費された状態を想像線で表している。そして、第１ロールＲ１は、第１収納部５に収納された状態（テープカートリッジＴＫが装着された状態）で、第１収納部５内で回転自在（図２中のＡ方向に回転自在）に支持される。
【００１９】
粘着テープ１５０は、厚さ方向の一方側（図３中の部分拡大図Ｕ中の上方側）から他方側（図３中の部分拡大図Ｕ中の下方側）へ向かって、所定の剥離剤により構成された剥離剤層１５６（剥離層に相当）、基材層１５５（テープ基材層に相当）、有色層１５４（第１有色層及び第３有色層に相当）、有色層１５３（第２有色層及び第４有色層に相当）、所定の粘着剤により構成された粘着剤層１５２（第１粘着層に相当）、及び剥離材１５１が、この順序で積層されて構成されている。なお、剥離材層１５６、基材層１５５、及び有色層１５４が、第１積層部及び第３積層部を構成し、有色層１５３及び粘着剤層１５２が、第２積層部及び第４積層部を構成する。
【００２０】
剥離剤層１５６、基材層１５５、有色層１５４、有色層１５３、及び粘着剤層１５２は、いずれも透過性を備える。
【００２１】
剥離剤層１５６は、無色の層であり、厚さ方向の一方側の表面（図３中の部分拡大図Ｕ中の上方側の表面。以下適宜「上面」という）に、後述のリボンカートリッジＲＫのインクリボンＩＢからの所望の色を備えたインクの転写により、当該インクの色（インク色に相当。以下適宜「インク色」という。図３中の部分拡大図Ｍ中では右上がり対角線の塗りつぶし効果で示す）の印字ＩＫ（後述）が形成可能に構成された層である。
【００２２】
基材層１５５は、無色の層である。
【００２３】
有色層１５４は、上記インク色を隠蔽しない色（第１色及び第３色に相当。図３中の部分拡大図Ｕ中では右下がり対角線の塗りつぶし効果で示す）を備えた層である。例えば、インク色が青色である場合には、この有色層１５４の色は、青色を隠蔽しない色（例えば赤色等）となる。
【００２４】
有色層１５３は、上記インク色を隠蔽可能な色、具体的にはインク色と同一色（第２色及び第４色に相当。図３中の部分拡大図Ｕ中では右上がり対角線の塗りつぶし効果で示す）を備えた層である。例えば、インク色が青色である場合には、この有色層１５３の色は、青色となる。
【００２５】
粘着剤層１５２は、無色の層であり、当該粘着剤層１５２よりも厚さ方向一方側に存在する層、つまり上記剥離剤層１５６、基材層１５５、有色層１５４、及び有色層１５３を適宜の被着体Ｈ（後述の図４参照）に対し貼り付けるための層である。
【００２６】
剥離材１５１は、粘着剤層１５２を覆う層である。
【００２７】
このとき、第１開閉カバー３が、筐体２の後方側端部に設けられた所定の回動軸心Ｋまわりに回動することで、第１収納部５の上方を開閉可能である。
【００２８】
また、第１収納部５と第２収納部７とを連通する筐体２内部の略中間上方側には、印字ヘッド１０及び搬送ローラ１１が互いに上下方向に対向して配置されている。
【００２９】
搬送ローラ１１は、第１収納部５に収納された第１ロールＲ１から繰り出される粘着テープ１５０を、テープ幅方向が略水平方向となるテープ姿勢（言い換えれば、テープ横断面を略水平方向としたテープ姿勢）で搬送する。この搬送ローラ１１は、ギア機構を介して、搬送用モータＭ１によって駆動される。搬送用モータＭ１は、上記のように後方側と前方側とに振り分け配置された第１収納部５と第２収納部７及び第３収納部６との中間（第１収納部５よりも前方側でかつ第２収納部７及び第３収納部６よりも後方側）に、出力軸（図示省略）の軸心方向が略水平方向となるように配設されている。なお、搬送ローラ１１は、この例では搬送用モータＭ１の略上方に配設されている。
【００３０】
印字ヘッド１０は、搬送される粘着テープ１５０を搬送ローラ１１と協働して挟持するように、第１開閉カバー３のうち搬送ローラ１１の略上方に対向する部位に配設されている。そして、印字ヘッド１０は、搬送される粘着テープ１５０の剥離剤層１５６の上面に、後述のリボンカートリッジＲＫのインクリボンＩＢからのインクの転写により上記インク色の印字ＩＫを形成し、印字済み粘着テープ１５０′とする。
【００３１】
すなわち、筐体２における（閉じ状態での）第１開閉カバー３の下方でかつテープカートリッジＴＫの上方となる第２所定位置９には、リボンカートリッジＲＫが着脱可能に装着される。リボンカートリッジＲＫは、リボン供給ロールＲ４及びリボン巻き取りロールＲ５を備え、リボン供給ロールＲ４が後方側、リボン巻き取りロールＲ５が前方側となる状態で装着される。そして、リボン供給ロールＲ４は、リボンカートリッジＲＫが装着された状態で、回転自在（図２中のＤ方向に回転自在）に支持される。また、リボン巻き取りロールＲ５は、リボンカートリッジＲＫが装着された状態で、回転自在（図２中のＥ方向に回転自在）に支持される。リボン供給ロールＲ４は、印字ヘッド１０による印字形成を行うためのインクリボンＩＢを繰り出す。リボン巻き取りロールＲ５は、使用済みのインクリボンＩＢを巻き取る。リボンカートリッジＲＫが第２所定位置９に装着されることにより、印字ヘッド１０及び搬送ローラ１１よりも後方側にリボン供給ロールＲ４が配置されると共に、印字ヘッド１０及び搬送ローラ１１よりも前方側にリボン巻き取りロールＲ５が配置される。なお、図２中では、リボン供給ロールＲ４のインクリボンＩＢが未消費であってリボン巻き取りロールＲ５に使用済みのインクリボンＩＢがまだ巻回されていない状態を実線で表し、リボン供給ロールＲ４のインクリボンＩＢがある程度消費されてリボン巻き取りロールＲ５に使用済みのインクリボンＩＢがある程度巻回された状態を想像線で表している。
【００３２】
そして、リボン供給ロールＲ４から繰り出されるインクリボンＩＢは、印字ヘッド１０の下方に接触する。そして、印字ヘッド１０からの加熱により、インクリボンＩＢのインクが、搬送される粘着テープ１５０の剥離剤層１５６の上面に転写され、上記インク色の印字ＩＫの形成が実行されて上記印字済み粘着テープ１５０′が生成された後、使用済みのインクリボンＩＢがリボン巻き取りロールＲ５に巻き取られる。
【００３３】
第３収納部６には、第３ロールＲ３（印字済み粘着テープロールに相当）が上方から受け入れられ、軸心Ｏ３（所定の軸心に相当）が略水平方向となる状態で収納される。第３ロールＲ３は、印字済み粘着テープ１５０′から剥離材１５１が引き剥がされた後のテープ（以下適宜「印字済み粘着テープ１５０″」という）を、軸心Ｏ３まわりに巻回して構成される。なお、図２中では、第３ロールＲ３に印字済み粘着テープ１５０″がまだ巻回されていない状態を実線で表し、第３ロールＲ３に印字済み粘着テープ１５０″がある適度巻回された状態を想像線で表している。
【００３４】
そして、第３ロールＲ３は、支持ブラケットＲＢで支持されることによって、第３収納部６内で回転自在（図２中のＢ方向に回転自在）に支持される。すなわち、第３ロールＲ３は、ギア機構を介し第２巻取用モータＭ３に接続され、当該第２巻取用モータＭ３によって巻き取り駆動される。この第２巻取用モータＭ３は、第２収納部７と第３収納部６との略中間下方に配設されている。
【００３５】
印字済み粘着テープ１５０″は、厚さ方向の一方側（図３中の部分拡大図Ｍ中の上方側）から他方側（図３中の部分拡大図Ｍ中の下方側）へ向かって、上記インク色の印字ＩＫが上面に形成された上記剥離剤層１５６、上記基材層１５５、上記有色層１５４、上記有色層１５３、及び上記粘着剤層１５２が、この順序で積層されて構成されている。
【００３６】
また、上記のように巻回された状態の印字済み粘着テープ１５０″は、粘着剤層１５２の厚さ方向の他方側の表面（図３中の部分拡大図Ｌ中の下側の表面。以下適宜「下面」という）に、ロール径方向内側に配置された剥離剤層１５６の上面に形成された上記インク色の印字ＩＫが付着した状態で、軸心Ｏ３まわりに巻回されている。
【００３７】
またこのとき、第２開閉カバー４が、筐体２の前方側端部に設けられた所定の第１回動軸心Ｋ１まわりに回動することで、第３収納部６の上方を開閉可能である。
【００３８】
支持ブラケットＲＢは、第３ロールＲ３の軸心Ｏ３方向に沿った両側に当該第３ロールＲ３を挟むように対向して設けられた２つのブラケットを備え、第３ロールＲ３を、筐体２の前方側端部に設けられた所定の第２回動軸心Ｋ２まわりに回転可能に支持する。なお、この例では、第２回動軸心Ｋ２は、上記第１回動軸心Ｋ１と同一位置（すなわち共通の軸心）となっている。
【００３９】
第２収納部７には、テープカートリッジＴＫの装着によって、第２ロールＲ２が上方から受け入れられ、軸心Ｏ２が略水平方向となる状態で収納される。第２ロールＲ２は、印字済み粘着テープ１５０″と分離する形で印字済み粘着テープ１５０′から引き剥がされた剥離材１５１を、軸心Ｏ２まわりに巻回して構成される。なお、図２中では、第２ロールＲ２に剥離材１５１がまだ巻回されていない状態を実線で表し、第２ロールＲ２に剥離材１５１がある程度巻回された状態を想像線で表している。そして、第２ロールＲ２は、第２収納部７に収納された状態（粘着テープカートリッジＴＫが装着された状態）で、第２収納部７内で回転自在（図２中のＣ方向に回転自在）に支持される。すなわち、第２ロールＲ２は、ギア機構を介し第１巻取用モータＭ２に接続され、当該第１巻取用モータＭ２によって巻き取り駆動される。この第１巻取用モータＭ２は、上記搬送用モータＭ１の下方に配設されている。
【００４０】
また、第２開閉カバー４が閉じ状態であるときの当該第２開閉カバー４の第３ロールＲ３よりも後方側の部位には、カッター機構１４が配置されている。カッター機構１４は、引き剥がし部１３で剥離材１５１が引き剥がされた後の印字済み粘着テープ１５０″を切断するための機構である。
【００４１】
＜粘着テープ印刷装置の動作の概略＞
次に、粘着テープ印刷装置１の動作の概略について説明する。
【００４２】
すなわち、第１所定位置８にテープカートリッジＴＫが装着されると、第１収納部５に第１ロールＲ１が収納され、第２収納部７に第２ロールＲ２が収納される。そして、搬送ローラ１１が駆動されると、第１ロールＲ１の回転により繰り出される粘着テープ１５０が、前方側へ搬送される。そして、その搬送される粘着テープ１５０の剥離剤層１５６の上面に対し、印字ヘッド１０によって上記インク色の印字ＩＫが形成され、印字済み粘着テープ１５０′となる。その後、印字済み粘着テープ１５０′は、さらに前方側へ搬送され、引き剥がし部１３まで搬送されると、当該引き剥がし部１３で剥離材１５１が引き剥がされる。引き剥がされた剥離材１５１は、下方側へ搬送されて第２収納部７へ導入され、第２収納部７内で巻回されて第２ロールＲ２が形成される。
【００４３】
一方、剥離材１５１が引き剥がされた後の印字済み粘着テープ１５０″は、さらに前方側へ搬送されて第３収納部６へ導入され、第３収納部６内で巻回されて第３ロールＲ３が形成される。その際、第３ロールＲ３よりも後方側、すなわち搬送経路に沿った上流側に設けられたカッター機構１４が、印字形成されかつ剥離材１５１が引き剥がされた後の印字済み粘着テープ１５０″を切断する。これにより、第３ロールＲ３に巻回されていく印字済み粘着テープ１５０″をユーザの所望のタイミングで切断し、切断後は第３ロールＲ３を第３収納部６から取り出すことができる。
【００４４】
そして、第３収納部６から第３ロールＲ３を取り出した後は、ユーザは、その取り出した第３ロールＲ３に巻回された状態の印字済み粘着テープ１５０″をロール径方向内側の部分から引き剥がして適宜の寸法に切断し、その切断後のテープ（以下適宜「切断後印字済み粘着テープＴ」という）を適宜の被着体Ｈ（後述の図４参照）に対し貼り付けて使用することができる。
【００４５】
図４に、被着体Ｈに対し貼り付けられた状態の切断後印字済み粘着テープＴを貼り付け側と反対側（上面側）から見た状況を示す。
【００４６】
図４に示すように、被着体Ｈに対し貼り付けられた状態の切断後印字済み粘着テープＴを貼り付け側と反対側（上面側）から見た場合には、有色層１５４の色が剥離剤層１５６及び上記基材層１５５を透けて上面側の地色となり、この有色層１５４によっては、剥離剤層１５６の上面の印字ＩＫ（図４中では「ＡＢＣＤ」のテキスト）の色を隠蔽しないので、上記印字ＩＫを視認することができる。このため、本実施形態では、被着体Ｈに対し貼り付けられた状態の切断後印字済み粘着テープＴの、貼り付け側と反対側からの印字ＩＫの視認性を確保することができる。
【００４７】
＜本実施形態の特徴＞
本実施形態の特徴は、透明性を備えた被着体Ｈに対し貼り付けた状態の切断後印字済み粘着テープＴの、被着体Ｈの貼り付け側と反対側から見た（被着体Ｈ越しに見た）見栄えを向上できる構造にある。以下、その詳細を説明する。
【００４８】
ここで、上述のように第３ロールＲ３に巻回された状態の印字済み粘着テープ１５０″（図３中の部分拡大図Ｌ参照）がロール径方向内側の部分から引き剥がされた際には、その引き剥がし後の印字済み粘着テープ１５０″の粘着剤層１５２の下面に、第３ロールＲ３に巻回されていた際にロール径方向内側に配置されていた剥離剤層１５６の上面の上記インク色の印字ＩＫの少なくとも一部が転写されている（いわゆる裏移りしている）ことがあり得る。以下適宜、粘着剤層１５２の下面に転写された（裏移りした）印字ＩＫを「裏移り印字ＩＫ′」という。そして、このように粘着剤層１５２の下面に裏移り印字ＩＫ′が形成された印字済み粘着テープ１５０″が適宜の寸法に切断されて上記切断後印字済み粘着テープＴとされた後、その切断後印字済み粘着テープＴを、図５（ａ）（ｂ）に示すように、透明性を備えた被着体Ｈ（例えば窓ガラス等）に対し貼り付けて使用する場合があり得る。
【００４９】
図６に、透明性を備えた被着体Ｈに対し貼り付けられた状態の切断後印字済み粘着テープＴを、被着体Ｈの貼り付け側と反対側から見た（被着体Ｈ越しに見た）状況を示す。なお、図６（ａ）は、本実施形態に対する比較例を表すものであり、図６（ｂ）は、本実施形態を表すものである。
【００５０】
図６（ａ）において、比較例に係る切断後印字済み粘着テープＴの構成は、上記有色層１５３を備えていない以外は本実施形態に係る切断後印字済み粘着テープＴの構成と同様である。図６（ａ）に示すように、透明性を備えた被着体Ｈに対し貼り付けられた状態の比較例に係る切断後印字済み粘着テープＴを、被着体Ｈの貼り付け側と反対側から見た（被着体Ｈ越しに見た）場合には、上記有色層１５４の色が被着体Ｈ及び粘着剤層１５２を透けて下面側の地色となり、この有色層１５４によっては、上記剥離剤層１５６の上面に形成されて剥離剤層１５６及び上記基材層１５５を透過する印字ＩＫ（図６（ａ）中では「ＡＢＣＤ」のテキスト）の色や、粘着剤層１５２の裏面の裏移り印字ＩＫ′の色を隠蔽することができず、上記印字ＩＫの鏡像や上記裏移り印字ＩＫ′が被着体Ｈ越しに透けて見える（目立つ）。このため、比較例では、透明性を備えた被着体Ｈに対し貼り付けられた状態の切断後印字済み粘着テープＴの、被着体Ｈの貼り付け側と反対側から見た見栄えが良くない。
【００５１】
これに対し、図６（ｂ）に示すように、透明性を備えた被着体Ｈに対し貼り付けられた状態の本実施形態に係る切断後印字済み粘着テープＴを、被着体Ｈの貼り付け側と反対側から見た（被着体Ｈ越しに見た）場合には、上記有色層１５３の色が被着体Ｈ及び粘着剤層１５２を透けて下面側の地色となり、この有色層１５３によって、上記剥離剤層１５６の上面に形成されて剥離剤層１５６、上記基材層１５５、及び上記有色層１５４を透過する印字ＩＫ（図６（ｂ）中では「ＡＢＣＤ」のテキスト）の色や、粘着剤層１５２の裏面の裏移り印字ＩＫ′の色を隠蔽することができ、上記印字ＩＫの鏡像や上記裏移り印字ＩＫ′を隠蔽する（目立たなくする）ことができる。このため、本実施形態では、透明性を備えた被着体Ｈに対し貼り付けられた状態の切断後印字済み粘着テープＴの、被着体Ｈの貼り付け側と反対側から見た見栄えを向上することができる。
【００５２】
＜本実施形態による効果＞
以上説明したように、本実施形態では、印字済み粘着テープ１５０″が、印字ＩＫの色、つまりインク色を隠蔽可能な色を備えた有色層１５３を含んでいる。これにより、上述のように、切断後印字済み粘着テープＴを透過性を備えた被着体Ｈに対し貼り付けて使用する場合に、剥離剤層１５６の上面に形成されて剥離剤層１５６、基材層１５５、及び有色層１５４を透過する印字ＩＫの色（インク色）や、粘着剤層１５２の下面の裏移り印字ＩＫ′の色（インク色）を、有色層１５３により隠蔽することが可能となる。この結果、透明性を備えた被着体Ｈに対し貼り付けた状態の切断後印字済み粘着テープＴの、被着体Ｈの貼り付け側と反対側から見た見栄えを向上することができる。また、透明性を備えた被着体Ｈに対し貼り付けた状態の切断後印字済み粘着テープＴの、上面側から見た色と被着体Ｈ越しに見た色とを異ならせることができるので、興趣の向上を図ることができる。
【００５３】
また、本実施形態では特に、有色層１５３が、剥離剤層１５６の上面に形成されて剥離剤層１５６、基材層１５５、及び有色層１５４を透過する印字ＩＫの色（インク色）を隠蔽可能な色を備えている。これにより、上述のように、切断後印字済み粘着テープＴを透過性を備えた被着体Ｈに対し貼り付けて使用する場合に、剥離剤層１５６の上面に形成されて剥離剤層１５６、基材層１５５、及び有色層１５４を透過する印字ＩＫの色（インク色）を、有色層１５３により確実に隠蔽することができる。
【００５４】
また、本実施形態では特に、有色層１５３が、粘着剤層１５２の下面の裏移り印字ＩＫ′の色（インク色）を隠蔽可能な色を備えている。これにより、上述のように、粘着剤層１５２の下面に裏移り印字ＩＫ′が形成された切断後印字済み粘着テープＴを透過性を備えた被着体Ｈに対し貼り付けて使用する場合に、粘着剤層１５２の下面の裏移り印字ＩＫ′の色（インク色）を、有色層１５３により確実に隠蔽することができる。
【００５５】
また、本実施形態では特に、有色層１５３が、上記インク色と同一色を備えている。これにより、上記インク色を有色層１５３により埋没させ、確実に隠蔽することができる。
【００５６】
また、本実施形態では特に、印字済み粘着テープ１５０″は、厚さ方向の一方側から他方側へ向かって、剥離剤層１５６、基材層１５５、有色層１５４、有色層１５３、及び粘着剤層１５２が、この順序で積層されて構成されている。これにより、厚さ方向の一方側から他方側に向かって、剥離剤層１５６、基材層１５５、有色層１５４、有色層１５３、及び粘着剤層１５２をこの順序で含む積層構造の印字済み粘着テープ１５０″を巻回して構成した第３ロールＲ３を実現することができる。
【００５７】
なお、本発明は、上記実施形態に限られるものではなく、その趣旨及び技術的思想を逸脱しない範囲内で種々の変形が可能である。以下、そのような変形例を順を追って説明する。
【００５８】
（１）粘着剤層がインク色を隠蔽可能な色を備える場合
すなわち、図７に示すように、本変形例では、前述の第１ロールＲ１は、粘着テープ１５０Ａを軸心Ｏ１まわりに巻回して構成される。
【００５９】
粘着テープ１５０Ａは、厚さ方向の一方側（図７中の部分拡大図Ｕ中の上方側）から他方側（図７中の部分拡大図Ｕ中の下方側）へ向かって、前述の剥離剤層１５６、前述の基材層１５５、前述の有色層１５４、粘着剤層１５２Ａ、及び前述の剥離材１５１が、この順序で積層されて構成されている。なお、本変形例では、粘着剤層１５２Ａが、第２有色層及び第２粘着層に相当すると共に、第２積層部及び第４積層部を構成する。
【００６０】
粘着剤層１５２Ａは、透過性を備え、所定の粘着剤、及び、前述のインク色を隠蔽可能な色、具体的にはインク色と同一色を備えた顔料を含む。この粘着剤層１５２Ａは、インク色と同一色（第２色及び第４色に相当。図７中の部分拡大図Ｕ中では右上がり対角線の塗りつぶし効果で示す）を備え、当該粘着剤層１５２Ａよりも厚さ方向一方側に存在する層、つまり上記剥離剤層１５６、基材層１５５、及び有色層１５４を適宜の被着体Ｈに対し貼り付けるための層である。例えば、インク色が青色である場合には、この粘着剤層１５２Ａの色は、青色となる。
【００６１】
そして、前述の印字ヘッド１０によって、搬送される粘着テープ１５０Ａの剥離剤層１５６の上面に、前述のリボンカートリッジＲＫのインクリボンＩＢからのインクの転写により上記インク色の印字ＩＫが形成され、印字済み粘着テープ１５０Ａ′とされる。
【００６２】
前述の第３ロールＲ３は、印字済み粘着テープ１５０Ａ′から剥離材１５１が引き剥がされた後のテープ（以下適宜「印字済み粘着テープ１５０Ａ″」という）を、軸心Ｏ３まわりに巻回して構成される。
【００６３】
印字済み粘着テープ１５０Ａ″は、厚さ方向の一方側（図７中の部分拡大図Ｍ中の上方側）から他方側（図７中の部分拡大図Ｍ中の下方側）へ向かって、上記インク色の印字ＩＫが上面に形成された上記剥離剤層１５６、上記基材層１５５、上記有色層１５４、及び上記粘着剤層１５２Ａが、この順序で積層されて構成されている。
【００６４】
また、上記のように巻回された状態の印字済み粘着テープ１５０Ａ″は、粘着剤層１５２Ａの厚さ方向の他方側の表面（図７中の部分拡大図Ｌ中の下側の表面。以下適宜「下面」という）に、ロール径方向内側に配置された剥離剤層１５６の上面に形成された上記インク色の印字ＩＫが付着した状態で、軸心Ｏ３まわりに巻回されている。
【００６５】
すなわち、本変形例では、第１所定位置８にテープカートリッジＴＫが装着されると、第１収納部５に第１ロールＲ１が収納され、第２収納部７に第２ロールＲ２が収納される。そして、搬送ローラ１１が駆動されると、第１ロールＲ１の回転により繰り出される粘着テープ１５０Ａが、前方側へ搬送される。そして、その搬送される粘着テープ１５０Ａの剥離剤層１５６の上面に対し、印字ヘッド１０によって上記インク色の印字ＩＫが形成され、印字済み粘着テープ１５０Ａ′となる。その後、印字済み粘着テープ１５０Ａ′は、さらに前方側へ搬送され、引き剥がし部１３まで搬送されると、当該引き剥がし部１３で剥離材１５１が引き剥がされる。引き剥がされた剥離材１５１は、下方側へ搬送されて第２収納部７へ導入され、第２収納部７内で巻回されて第２ロールＲ２が形成される。
【００６６】
一方、剥離材１５１が引き剥がされた後の印字済み粘着テープ１５０Ａ″は、さらに前方側へ搬送されて第３収納部６へ導入され、第３収納部６内で巻回されて第３ロールＲ３が形成される。その際、第３ロールＲ３よりも後方側、すなわち搬送経路に沿った上流側に設けられたカッター機構１４が、印字形成されかつ剥離材１５１が引き剥がされた後の印字済み粘着テープ１５０Ａ″を切断する。これにより、第３ロールＲ３に巻回されていく印字済み粘着テープ１５０Ａ″をユーザの所望のタイミングで切断し、切断後は第３ロールＲ３を第３収納部６から取り出すことができる。
【００６７】
そして、第３収納部６から第３ロールＲ３を取り出した後は、ユーザは、その取り出した第３ロールＲ３に巻回された状態の印字済み粘着テープ１５０Ａ″をロール径方向内側の部分から引き剥がして適宜の寸法に切断し、その切断後のテープ（以下適宜「切断後印字済み粘着テープＴＡ」という）を適宜の被着体Ｈに対し貼り付けて使用することができる。
【００６８】
本変形例においては、印字済み粘着テープ１５０Ａ″が、印字ＩＫの色、つまりインク色を隠蔽可能な色を備えた粘着剤層１５２Ａを含んでいる。これにより、上記実施形態と同様に、切断後印字済み粘着テープＴＡを透過性を備えた被着体Ｈに対し貼り付けて使用する場合に、剥離剤層１５６の上面に形成されて剥離剤層１５６、基材層１５５、及び有色層１５４を透過する印字ＩＫの色（インク色）や、粘着剤層１５２Ａの下面の裏移り印字ＩＫ′の色（インク色）を、粘着剤層１５２Ａにより隠蔽することが可能となる。この結果、透明性を備えた被着体Ｈに対し貼り付けた状態の切断後印字済み粘着テープＴＡの、被着体Ｈの貼り付け側と反対側から見た見栄えを向上することができる。また、透明性を備えた被着体Ｈに対し貼り付けた状態の切断後印字済み粘着テープＴＡの、上面側から見た色と被着体Ｈ越しに見た色とを異ならせることができるので、興趣の向上を図ることができる。
【００６９】
また、本変形例では、印字済み粘着テープ１５０Ａ″は、厚さ方向の一方側から他方側へ向かって、剥離剤層１５６、基材層１５５、有色層１５４、及び粘着剤層１５２Ａが、この順序で積層されて構成されている。これにより、厚さ方向の一方側から他方側に向かって、剥離剤層１５６、基材層１５５、有色層１５４、及び粘着剤層１５２Ａをこの順序で含む積層構造の印字済み粘着テープ１５０Ａ″を巻回して構成した第３ロールＲ３を実現することができる。
【００７０】
（２）その他
上記実施形態や（１）の変形例では、有色層１５３や粘着剤層１５２Ａが、インク色を隠蔽可能な色、具体的にはインク色と同一色を備える場合について説明したが、これに限られない。すなわち、有色層１５３や粘着剤層１５２Ａは、インク色を隠蔽可能な色として、インク色の類似色（第２色及び第４色に相当）を備えてもよい。例えば、インク色が青色である場合には、有色層１５３や粘着剤層１５２Ａの色は、青色の類似色（例えば緑色等）となる。この場合には、インク色を有色層１５３や粘着剤層１５２Ａにより埋没させ、確実に隠蔽することができる。
【００７１】
あるいは、有色層１５３や粘着剤層１５２Ａは、インク色を遮蔽可能な色、具体的にはインク色と同系で当該インク色よりも濃い色（第２色及び第４色に相当）を備えてもよい。例えば、インク色が青色である場合には、有色層１５３や粘着剤層１５２Ａの色は、青色と同系で青色よりも濃い色（例えば藍色等）となる。この場合には、インク色を有色層１５３や粘着剤層１５２Ａにより覆って遮り、確実に遮蔽することができる。若しくは、有色層１５３や粘着剤層１５２Ａは、インク色を遮蔽可能な色として、黒色（第２色及び第４色に相当）を備えてもよい。この場合にも、上記と同様、インク色を有色層１５３や粘着剤層１５２Ａにより覆って遮り、確実に遮蔽することができる。
【００７２】
また、以上既に述べた以外にも、上記実施形態や各変形例による手法を適宜組み合わせて利用してもよい。
【００７３】
その他、一々例示はしないが、本発明は、その趣旨を逸脱しない範囲内において、種々の変更が加えられて実施されるものである。
【符号の説明】
【００７４】
１５０              粘着テープ
１５０Ａ            粘着テープ
１５０″            印字済み粘着テープ
１５０Ａ″          印字済み粘着テープ
１５２              粘着剤層（第１粘着層）
１５２Ａ            粘着剤層（第２有色層及び第２粘着層）
１５３              有色層（第２有色層及び第４有色層）
１５４              有色層（第１有色層及び第３有色層）
１５５              基材層（テープ基材層）
１５６              剥離剤層（剥離層）
Ｈ                  被着体
ＩＢ                インクリボン
Ｏ３                軸心（所定の軸心）
Ｒ３                第３ロール（印字済み粘着テープロール）
Ｔ                  切断後印字済み粘着テープ
ＴＡ                切断後印字済み粘着テープ
【図１】
2015067642.tif 000003
【図２】
2015067642.tif 000004
【図３】
2015067642.tif 000005
【図４】
2015067642.tif 000006
【図５】
2015067642.tif 000007
【図６】
2015067642.tif 000008
【図７】
2015067642.tif 000009